(57)【要約】【課題】  正極性及び負極性のそれぞれに対応する高電圧発生回路が、互いに相反する極性の回路に影響を与えることがなく、それぞれの極性での昇圧分の耐圧設計で済み、高電圧の下での耐圧補償を安定させる。【解決手段】  コッククロフトウォルトン回路を用いて交流高電圧を発生させる場合、通常は、コッククロフトウォルトン回路の一端から入力電圧を印加し、他端側から昇圧された交流高電圧を出力する構成とするが、この場合、基準電圧（例えば、０Ｖ）を基準として正極性及び負極性の双方に振幅する交流高電圧を発生させる場合、正極側及び負極側への振幅電圧の２倍の電圧の耐圧が必要となる。そこで、コッククロフトウォルトン回路の中間点を切断し、切断した両端を２個のコンデンサ１１８、１２０を直列に接続すると共に、この２個のコンデンサ１１８、１２０の中間から、容量性の負荷への出力端を取り出すようにした。【選択図】      図１
2005245177.tif 000002
【特許請求の範囲】
【請求項１】
コッククロフトウォルトン回路により高電圧を発生させ、この高電圧を容量性の負荷に印加することで、当該負荷を駆動する高電圧電源装置であって、
正極性の直流電源から入力される直流低電圧から所定の周波数のクロック信号を用いて基準電圧に対して正極側に振動する交流電圧を発生させる正極性交流電圧発生手段と、
前記正極性交流電圧発生手段で発生した交流電圧を入力として昇圧し、前記容量性の負荷へ印加する正極性の交流高電圧を発生させる第１のコッククロフトウォルトン回路と、
負極性の直流電源から入力される直流低電圧から前記クロック信号とは逆位相のクロック信号を用いて基準電圧に対して負極側に振動する交流電圧を発生させる負極性交流電圧発生手段と、
前記負極性交流電圧発生手段で発生した交流電圧を入力として昇圧し、前記容量性の負荷へ印加する負極性の交流高電圧を発生させる第２のコッククロフトウォルトン回路と、
前記第１のコッククロフトウォルトン回路の出力端に直列接続され、当該出力端にかかる正極性の高電圧を充放電する第１のコンデンサと、
前記第２のコッククロフトウォルトン回路の出力端に直列接続され、当該出力端にかかる負極性の高電圧を充放電する第２のコンデンサとを有し、
前記第１のコンデンサと第２のコンデンサとの間が、前記容量性の負荷と接続される出力端とされていることを特徴とする高電圧電源装置。
【請求項２】
コッククロフトウォルトン回路により交流高電圧を発生させ、この交流高電圧を容量性の負荷に印加することで、当該負荷を駆動する高電圧電源装置であって、
前記コッククロフトウォルトン回路の一端側に接続され、正極性の直流電源から入力される直流低電圧から所定の周波数のクロック信号を用いて基準電圧に対して正極側に振動する交流電圧を発生させる正極性交流電圧発生手段と、
前記コッククロフトウォルトン回路の他端側に接続され、負極性の直流電源から入力される直流低電圧から前記クロック信号とは逆位相となるクロック信号を用いて基準電圧に対して負極側に振動する交流電圧を発生させる負極性交流電圧発生手段とを有し、
前記コッククロフトウォルトン回路における、前記一端から他端まで配線された一対の基線に対して、アノード側とカソード側とが互い違いとなるように並列接続されたダイオードの中間位置で、前記一対の基線の一方を切断し、他方の基線に前記正極性の高電圧を充放電する第１のコンデンサと、前記負極性の高電圧を充放電する第２のコンデンサとを直列接続し、
前記第１のコンデンサと第２のコンデンサとの間を、前記容量性の負荷と接続される出力端としたことを特徴とする高電圧電源装置。
【請求項３】
前記第１のコンデンサ及び第２のコンデンサのそれぞれに並列接続され、当該第１のコンデンサ及び第２のコンデンサに蓄えられた電荷の放電を促進するための抵抗をさらに有することを特徴とする請求項１又は請求項２の何れか１項記載の高電圧電源装置。
【発明の詳細な説明】
【技術分野】
【０００１】
本発明は、コッククロフトウォルトン回路により交流高電圧を発生させ、この交流高電圧を容量性の負荷に印加することで、当該負荷を駆動する高電圧電源装置に関するものである。
【背景技術】
【０００２】
従来、この種の電源装置を適用した電子写真方式の画像形成装置として、感光体ドラムの表面を一次帯電器によって所定の電圧に一様に帯電し、その後、感光体ドラムの表面に光ビーム等により露光して静電潜像を形成すると共に、この静電潜像をトナー現像器により現像して、トナー像を得るようになっている。
【０００３】
トナー像は、転写部により記録用紙に転写され、定着処理が施されることで、当該記録用紙への画像形成が完了する。
【０００４】
フルカラー画像を形成する場合は、感光体ドラムが４回転する間にフルカラー画像用のＣＭＹＫの各色の露光・現像を行う必要があり、そのため、フルカラー画像形成装置の各現像器には、現像中の１つの現像器に対して、良好な現像を行うための交流電圧（ＡＣ）を重畳した直流電圧（ＤＣ）からなる現像バイアス電圧を印加し、一方、現像を行っていない他の現像器に対しては、感光体ドラム上に不要なトナーが付着するのを防止する所定の直流電圧を印加するための高電圧電源装置が必要となる。
【０００５】
ここで、画像形成装置において、通常の駆動電源として生成される入力電圧（ＤＣ２４Ｖ）を昇圧して高電圧を得る場合、トランス回路が一般的であるが、昇圧のレベル（一次側と二次側との電圧比）が大きいと、トランス回路の補償が重要な課題となり、廉価なトランス回路が使用できない場合が生じる。例えば、一次側電圧が２４Ｖで二次側に１．０ＫＶが要求される場合、単純計算で５０倍も昇圧しなければならない。
【０００６】
また、トランス回路では、現像器等のバイアス電圧に適用するための高周波に制限があり、対応させるのは困難である。
【０００７】
このため、共振を利用したスイッチングによって、高電圧信号を得る交流バイアス電源装置が提案されている（特許文献１参照）。
【０００８】
この特許文献１では、容量性負荷（現像器等）に直列に接続され、当該容量性の負荷と共にＬＣ直接共振回路を構成するインダクタンスと、ＬＣ直列共振回路を正方向及び負方向にそれぞれ付勢する付勢時間制御可能なスイッチング回路及び該スイッチング回路による付勢終了後の直列共振エネルギを回生するダイオードを備えた一対の付勢回路と、で構成され、付勢回路の付勢時間を制御することにより、出力電圧を制御するようになっている。
【０００９】
ところが、この特許文献１では、高周波を得ることができるものの、要求される高電圧に対して最終段でトランスを用いることになり、前述したトランス回路自体の問題点は依然として解消することができない。
【００１０】
共振を利用した高電圧電源回路としては、特許文献２に、インダクタンスとコンデンサとからなる共振回路を備え、この共振回路に発振用のトランジスタが接続されると共に、複数のコンデンサ及びダイオードからなる倍電圧整流回路（コッククロフトウォルトン回路（Cockcroft-Walton circuit））によって倍電圧整流されるものが提案されている。
【００１１】
この高電圧電源回路は、トランスを用いない構成であり、電源とスイッチング素子であるトランジスタ間に並列狂信回路を持ち、共振によって正・負に触れた波形を、整流倍電圧回路を介して出力することで、正・負両極性の直流電圧を得ることができるものである。
【００１２】
なお、コッククロフトン回路は、高圧電源を製作するときに整流回路方式、或いは多段型整流方式の回路であり、２本の基線に、千鳥状に設けたコンデンサを境界として、ダイオードのアノードとカソードとが互い違いになるように並列に配線することで、複数段の整流回路を構成した所謂ラダー構造となっている。入力電圧に対して要求される電圧に必要な段数とすることで、容易に高圧電源装置を得ることができる。
【００１３】
なお、本出願人は、上記構成の電源回路を応用し、高周波数の交流波形を出力でき、かつ入力電圧と出力電圧との比が大きく（上記では、２４Ｖ→１．０ＫＶ）することが可能な電源回路を提案している（平成１４年１２月９日出願）。
【００１４】
ところで、出力側の電圧は、正極性及び負極性の両方を利用する場合がある。すなわち、上記１．０ＫＶに昇圧した場合、その中間を基準とすると、±５００Ｖとして適用されることになる。
【特許文献１】特開平６−１９７５４２号公報
【特許文献２】特開平７−１０７７３７号公報
【発明の開示】
【発明が解決しようとする課題】
【００１５】
しかしながら、基準電圧に対して正極性及び負極性にそれぞれ１．０ＫＶの電圧が要求される場合には、昇圧する電圧をさらに２倍、すなわち２．０ＫＶとしなければならない。すなわち、瞬間的な電圧（一方の極性の電圧）は１．０ＫＶであっても、これが基準電圧に対して正極性及び負極性に振動する場合には、２倍の耐圧が必要となる。
【００１６】
このため、コッククロフトウォルトン回路を構成するダイオードやコンデンサや、その周辺の素子（スイッチング素子等）の耐圧をさらに向上させなければならず、高電圧の下での耐圧補償が不安定となる。
【００１７】
本発明は上記事実を考慮し、正極性及び負極性のそれぞれに対応する高電圧発生回路が、互いに相反する極性の回路に影響を与えることがなく、それぞれの極性での昇圧分の耐圧設計で済み、高電圧の下での耐圧補償を安定させることができる高電圧電源回路を得ることが目的である。
【課題を解決するための手段】
【００１８】
第１の発明は、コッククロフトウォルトン回路により交流高電圧を発生させ、この交流高電圧を容量性の負荷に印加することで、当該負荷を駆動する高電圧電源装置であって、正極性の直流電源から入力される直流低電圧から所定の周波数のクロック信号を用いて基準電圧に対して正極側に振動する交流電圧を発生させる正極性交流電圧発生手段と、前記正極性交流電圧発生手段で発生した交流電圧を入力として昇圧し、前記容量性の負荷へ印加する正極性の交流高電圧を発生させる第１のコッククロフトウォルトン回路と、負極性の直流電源から入力される直流低電圧から前記クロック信号とは逆位相のクロック信号を用いて基準電圧に対して負極側に振動する交流電圧を発生させる負極性交流電圧発生手段と、前記負極性交流電圧発生手段で発生した交流電圧を入力として昇圧し、前記容量性の負荷へ印加する負極性の交流高電圧を発生させる第２のコッククロフトウォルトン回路と、前記第１のコッククロフトウォルトン回路の出力端に直列接続され、当該出力端にかかる正極性の高電圧を充放電する第１のコンデンサと、前記第２のコッククロフトウォルトン回路の出力端に直列接続され、当該出力端にかかる負極性の高電圧を充放電する第２のコンデンサとを有し、
前記第１のコンデンサと第２のコンデンサとの間が、前記容量性の負荷と接続される出力端とされていることを特徴としている。
【００１９】
第１の発明によれば、正極性交流電圧発生手段では、正極性の直流電源から入力される直流低電圧から所定の周波数のクロック信号を用いて基準電圧に対して正極側に振動する交流電圧を発生させる。第１のコッククロフトウォルトン回路では、この交流電圧を入力として昇圧し、前記容量性の負荷へ印加する正極性の交流高電圧を発生させる。
【００２０】
一方、負極性交流電圧発生手段では、負極性の直流電源から入力される直流低電圧から前記クロック信号とは逆位相のクロック信号を用いて基準電圧に対して負極側に振動する交流電圧を発生させる。第２のコッククロフトウォルトン回路では、この交流電圧を入力として昇圧し、前記容量性の負荷へ印加する負極性の交流高電圧を発生させる。
【００２１】
上記第１及び第２のコッククロフトウォントン回路は、その出力端に第１及び第２のコンデンサを介して接続され、当該第１及び第２のコンデンサの間を容量性の負荷と接続される出力端とする。
【００２２】
これにより、正極性側に昇圧された電圧は負極性側に影響がなく、逆に、負極性側に昇圧された電圧は負極性側に影響がないため、それぞれの極性の耐圧のみを考慮すればよい。
【００２３】
すなわち、この第１の発明は、正極性側の第１のコッククロフトウォルトン回路を持つ１つのユニットと、負極性側の第２のコッククロフトウォルトン回路を持つ他の１つのユニットとを第１及び第２のコンデンサによって直列接続し、第１及び第２のコンデンサの中間を出力端とした構成が特徴である。
【００２４】
第２の発明は、コッククロフトウォルトン回路により交流高電圧を発生させ、この交流高電圧を容量性の負荷に印加することで、当該負荷を駆動する高電圧電源装置であって、前記コッククロフトウォルトン回路の一端側に接続され、正極性の直流電源から入力される直流低電圧から所定の周波数のクロック信号を用いて基準電圧に対して正極側に振動する交流電圧を発生させる正極性交流電圧発生手段と、前記コッククロフトウォルトン回路の他端側に接続され、負極性の直流電源から入力される直流低電圧から前記クロック信号とは逆位相となるクロック信号を用いて基準電圧に対して負極側に振動する交流電圧を発生させる負極性交流電圧発生手段とを有し、前記コッククロフトウォルトン回路における、前記一端から他端まで配線された一対の基線に対して、アノード側とカソード側とが互い違いとなるように並列接続されたダイオードの中間位置で、前記一対の基線の一方を切断し、他方の基線に前記正極性の高電圧を充放電する第１のコンデンサと、前記負極性の高電圧を充放電する第２のコンデンサとを直列接続し、前記第１のコンデンサと第２のコンデンサとの間を、前記容量性の負荷と接続される出力端としたことを特徴としている。
【００２５】
第２の発明によれば、コッククロフトウォルトン回路は、一対の基線に対して、アノード側とカソード側とが互い違いとなるようにダイオードが並列接続されている。
【００２６】
このダイオードの中間位置で、前記一対の基線の一方を切断し、他方の基線に前記正極性の高電圧を充放電する第１のコンデンサと、前記負極性の高電圧を充放電する第２のコンデンサとを直列接続し、前記第１のコンデンサと第２のコンデンサとの間を、前記容量性の負荷と接続される出力端とした。
【００２７】
これにより、切断した両側での昇圧分が互いに影響されることがない。すなわち、正極性側に昇圧された電圧は負極性側に影響がなく、逆に、負極性側に昇圧された電圧は負極性側に影響がないため、それぞれの極性の耐圧のみを考慮すればよい。
【００２８】
すなわち、この第２の発明は、単一のコッククロフトウォルトン回路を中間で分離し、かつ、第１及び第２のコンデンサによって直列接続し、第１及び第２のコンデンサの中間を出力端とした構成が特徴である。
【００２９】
上記第１の発明又は第２の発明おいて、前記第１のコンデンサ及び第２のコンデンサのそれぞれに並列接続され、当該第１のコンデンサ及び第２のコンデンサに蓄えられた電荷の放電を促進するための抵抗をさらに有することを特徴としている。
【００３０】
すなわち、第１及び第２のコンデンサの放電を促進することで、充放電が迅速に行われ、高周波に対応可能となる。
【発明の効果】
【００３１】
以上説明した如く本発明では、正極性及び負極性のそれぞれに対応する高電圧発生回路が、互いに相反する極性の回路に影響を与えることがなく、それぞれの極性での昇圧分の耐圧設計で済み、高電圧の下での耐圧補償を安定させることができるという優れた効果を有する。
【発明を実施するための最良の形態】
【００３２】
図１には、本実施の形態に係る高圧電源装置１００が示されている。
【００３３】
この高圧電源装置１００は、直流電源１０２（２４Ｖ）に対して、２段階で交流高電圧（１．０ＫＶ）を発生させる構成となっており、直流電源１０２は、正極側に振幅する第１の交流電圧発生部１０４Ａと、負極側に振幅する第２の交流電圧発生部１０４Ｂと、のそれぞれに入力されている。
【００３４】
上記第１の交流電圧発生部１０４Ａ及び第２の交流電圧発生部１０４Ｂには、交流発生信号出力部１０６から所定の周波数のクロック信号が入力されている。交流発生信号出力部１０６には、クロック発生部１０８から所定の周波数のクロック信号が入力されており、交流発生信号出力部１０６では、このクロック信号に基づいて、位相の異なる（互いに逆位相）２種類の信号（以下、一方を「クロック信号」他方を「インバータクロック信号」という）が生成され、クロック信号が第１の交流電圧発生部１０４Ａへ出力され、インバータクロック信号が第２の交流電圧発生部１０４Ｂへ出力されるようになっている。
【００３５】
第１及び第２の交流電圧発生部１０４Ａ、１０４Ｂは、例えば図２に示すような回路が適用可能であり、並列共振回路によって、電圧を増幅する機能を有している。
【００３６】
すなわち、並列共振回路の効果によって直流電源１０２から出力される直流電源電圧ＶＤＤ（２４Ｖ）の約２倍程度（±ＶＤＤ’）となる（なお、この昇圧率は先鋭度Ｑに依存する。）。
【００３７】
図１に示される如く、第１の交流電圧発生部１０４Ａは、高電圧変換部１１０の一端に接続されている。また、第２の交流電圧発生部１０４Ｂは、高電圧変換部１１０の他端に接続されている。
【００３８】
すなわち、第１及び第２の交流電圧発生部１０４Ａ、１０４Ｂで発生した電圧（約±５０Ｖ）が入力電圧として、高電圧変換部１０８の両端に入力されるようになっている。
【００３９】
ここで、高電圧変換部１１０は、正極性昇圧部１１２と負極性昇圧部１１４とで構成されており、その間を接続する信号線１１６には、２個のコンデンサ１１８、１２０が直列接続されている。この２個のコンデンサ１１８、１２０との間には、分岐線１２２が接続され、コンデンサ１２４を介して、容量性の負荷と接続されるようになっている。すなわち、正極性昇圧部１１２と負極性昇圧部１１４とは、Ｔ型に接続されたコンデンサ群によって接続され、前記分岐線１２２が容量性の負荷への出力端１２６となる。
【００４０】
（高電圧変換部１１０）
高電圧変換部１１０を構成する正極性昇圧部１１２及び負極性昇圧部１１４として、周知のコッククロフトウォルトン回路を適用することができる（図３参照）。
【００４１】
簡単に回路構成を説明すると、正極性昇圧部１１２は、図２に示される如く、平行線となっている２本の基線１３０、１３２に対して、掛け渡されるようにダイオード１２８の両端が接続されている。このとき、ダイオード１２８は、隣接するダイオード１２８に対して、アノードとカソードとが互い違いに接続されている。また、それぞれのダイオード１２８の基線１３０、１３２への接続端の間は、千鳥状にコンデンサ１３４が介在されている。
【００４２】
一方、負極性昇圧部１１４は、図２に示される如く、平行線となっている２本の基線１３６、１３８に対して、掛け渡されるようにダイオード１４０の両端が接続されている。このとき、ダイオード１４０は、隣接するダイオード１４０に対して、アノードとカソードとが互い違いに接続されている。また、それぞれのダイオード１４０の基線１３６、１３８への接続端の間は、千鳥状にコンデンサ１４２が介在されている。
【００４３】
以上が簡単な回路構成であるが、コッククロフトウォルトン回路は、要求される昇圧率や電流によってダイオード１１４の段数はまちまちであるため、図２に示す回路に限定されるものではない。
【００４４】
図１に示される如く、高電圧変換部１０８の正極性昇圧部１１２及び負極性昇圧部１１４によって昇圧された交流電圧（±１．０ＫＶ）は、容量性の負荷へ印加され、負荷は動作する。
【００４５】
ここで、本実施の形態の高電圧変換部１０８は、一対のコッククロフトウォルトン回路がコンデンサ１１８、１２０を介して接続された構成となっているが、言い換えれば、１ユニットのコッククロフトウォルトン回路の中間を分離して、正極性昇圧部１１２及び負極性昇圧部１１４を構成したということもできる。
【００４６】
ここで、例えば、一端に第１の交流電圧発生部１０４Ａで発生した交流電圧を印加すると、他端に+２．０ＫＶの電圧がかかることになる。また、逆に、他端に第２の交流電圧発生部１０４Ｂで発生した交流電圧を印加すると、一端に−２．０ＫＶの電圧がかかることになる。すなわち、単純にコッククロフトウォルトン回路の中間点から分岐して、容量性の負荷への出力端としたのでは、要求される電圧の２倍の耐圧が必要となる。
【００４７】
そこで、本実施の形態では、前記１ユニットのコッククロフトウォルトン回路の中間を分離し、かつ２個のコンデンサ１１８、１２０を直列接続する構成とした。
【００４８】
これにより、所定の電圧（±１．０ＫＶ）で充放電を繰り返すことになり、互いに影響を与えることなく、この一対のコンデンサ１１８、１２０間（すなわち、出力端）に所望の電圧（±１．０ＫＶに振幅する交流高電圧）を発生させることが可能となる。
【００４９】
ここで、コンデンサ１１８、１２０では、周波数によもよるが、充電された電荷の放電が完了する前に、次の充電がなされ、安定した交流波形が得られず、飽和状態となる可能性がある。
【００５０】
このため、２個のコンデンサ１１８、１２０には、それぞれ放電促進用の抵抗１４４、１４６が並列接続されている。この抵抗１４４、１４６は、コンデンサ１１８、１２０の電荷の放電を促進する役目を有しており、安定した交流波形を得ることが可能となる。
【００５１】
以下に本実施の形態の作用を説明する。
【００５２】
クロック発生部１０８からは所定の周波数（本実施の形態では、２ＭＨｚ）のクロック信号（５Ｖ）が交流発生信号出力部１０６へ送出される。
【００５３】
交流発生信号出力部１０６では、入力されたクロック信号から、逆位相となるインバタークロック信号を生成する。
【００５４】
交流発生信号出力部１０６は、クロック信号を第１の交流電圧発生部１０４Ａへ送出し、インバータクロック信号を第２の交流電圧発生部１０４Ｂへ送出する。
【００５５】
第１の交流電圧発生部１０４Ａでは、入力されるクロック信号に基づいて、直流電源１０２から受けた直流電圧２４Ｖを断続し、断続して生成されたパルス波形を並列共振回路によって増幅し、０Ｖ〜＋５０Ｖで振幅する正極性交流電圧を発生させる。
【００５６】
一方、第２の交流電圧発生部１０４Ｂでは、入力されるインバータクロック信号に基づいて、直流電源１０２から受けた直流電圧２４Ｖを断続し、断続して生成されたパルス波形を並列共振回路によって増幅し、０Ｖ〜−５０Ｖで振幅する負極性交流電圧を発生させる。
【００５７】
第１の交流電圧発生部１０４Ａで発生した正極性交流電圧は、高電圧変換部１１０の正極性昇圧部１１２（第１のコッククロフトウォルトン回路）の一端に入力される。この正極性昇圧部１１２により、入力電圧（０Ｖ〜＋５０Ｖ）は、昇圧（０Ｖ〜＋１．０ＫＶ）され、コンデンサ１１８の充放電によって、容量性の負荷へ印加される。
【００５８】
一方、第２の交流電圧発生部１０４Ｂで発生した負極性交流電圧は、高電圧変換部１１０の負極性昇圧部１１４（第２のコッククロフトウォルトン回路）の一端に入力される。この負極性昇圧部１１４により、入力電圧（０Ｖ〜−５０Ｖ）は、昇圧（０Ｖ〜−１．０ＫＶ）され、コンデンサ１２０の充放電によって、容量性の負荷へ印加される。
【００５９】
なお、正極性昇圧部１１２と負極性昇圧部１１４とによる昇圧は、基となるクロック信号とインバータクロック信号とが逆位相となっているため、容量性の負荷に印加される電圧は、図３に示される如く、正及び負に交互に振幅する波形となり、例えば、画像形成装置において、直流電圧に重畳する交流電圧として適用可能である。
【００６０】
また、このとき、コンデンサ１１８、１２０には、それぞれ並列に抵抗１４４、１４６が接続されているため、放電が促進され、安定した交流波形を得ることができる。
【００６１】
以上説明した如く本実施の形態では、コッククロフトウォルトン回路を用いて交流高電圧を発生させる場合、通常は、コッククロフトウォルトン回路の一端から入力電圧を印加し、他端側から昇圧された交流高電圧を出力する構成とするが、この場合、基準電圧（例えば、０Ｖ）を基準として正極性及び負極性の双方に振幅する交流高電圧を発生させる場合、正極側及び負極側への振幅電圧の２倍の電圧の耐圧が必要となる。
【００６２】
そこで、コッククロフトウォルトン回路の中間点を切断し、切断した両端を２個のコンデンサ１１８、１２０を直列に接続すると共に、この２個のコンデンサ１１８、１２０の中間から、容量性の負荷への出力端を取り出すようにした。
【００６３】
これにより、コッククロフトウォルトン回路には、片極性（正極性及び負極性）の電圧しかかからないため、耐圧補償を緩和することができる。
【００６４】
また、２個のコンデンサ１１８、１２０による充放電の応答性を向上するべく、それぞれに抵抗１４４、１４６を並列接続した。これにより、安定した交流波形を得ることができる。
【図面の簡単な説明】
【００６５】
【図１】本実施の形態に係る高電圧電源装置の概略を示すブロック図である。
【図２】本実施の形態に係る高電圧電源装置の一例を示す回路図である。
【図３】本実施の形態に係る高電圧電源装置の出力特性図である。
【符号の説明】
【００６６】
１００    高圧電源装置
１０２    直流電源
１０４Ａ    第１の交流電圧発生部
１０４Ｂ    第２の交流電圧発生部
１０６    交流発生信号出力部
１０８    クロック発生部
１１０    高電圧変換部
１１２    正極性昇圧部
１１４    負極性昇圧部
１１６    信号線
１１８、１２０    コンデンサ
１２２    分岐線
１２４    コンデンサ
１２６    出力端
１３０、１３２    基線
１２８    ダイオード
１３４    コンデンサ
１３６、１３８    基線
１４０    ダイオード
１４２    コンデンサ
１４４、１４６    抵抗
【図１】
2005245177.tif 000003
【図２】
2005245177.tif 000004
【図３】
2005245177.tif 000005